(57)【特許請求の範囲】
【請求項１】
絶縁性のハウジングと、導電性のコンタクトとを備え、
実装対象の基板の存在する方向を下方としたとき、
前記コンタクトは、
前記ハウジングに固定される基部と、
前記基部から立ち上がり且つ接点部を有する接点側弾性部と、
先端側が互いに異なる位置で基板への実装部となる第１及び第２の接続脚部と、
前記基部と前記第１及び第２の接続脚部との間に設けられた実装側弾性部とを有し、
前記ハウジングの下面に凸部が形成され、前記ハウジングの下面と対面するカバー部が前記凸部から延長し、前記ハウジングの下面と前記カバー部との隙間に前記第１の接続脚部の一部が挿入されている、電気コネクタ。
【請求項２】
前記実装側弾性部は前記ハウジングの前記下面側に存在し、前記コンタクトは前記ハウジングの前記下面の外側にあって前記実装側弾性部の一端と前記基部とを接続する折返し部を有する、請求項１に記載の電気コネクタ。
【請求項３】
絶縁性のハウジングと、導電性のコンタクトとを備え、
実装対象の基板の存在する方向を下方としたとき、
前記コンタクトは、
前記ハウジングに固定される基部と、
前記基部から立ち上がり且つ接点部を有する接点側弾性部と、
前記ハウジングの下面側に存在する実装側弾性部と、
前記ハウジングの前記下面の外側にあって前記実装側弾性部の一端と前記基部とを接続する折返し部と、
前記実装側弾性部の他端からそれぞれ下方に延びて先端側が互いに異なる位置で基板への実装部となる第１及び第２の接続脚部とを有し、
前記実装側弾性部は、前後方向及び左右方向に変位可能な構造である、電気コネクタ。
【請求項４】
前記ハウジングの下面に凸部が形成され、前記ハウジングの下面と対面するカバー部が前記凸部から延長し、前記ハウジングの下面と前記カバー部との隙間に前記第１の接続脚部の一部が挿入されている、請求項３に記載の電気コネクタ。
【請求項５】
前記実装側弾性部は、上下方向への変位を伴わずに前後方向及び左右方向に変位可能な構造である、請求項２から４のいずれか一項に記載の電気コネクタ。
【請求項６】
前記実装側弾性部は、前後方向に延びる第１のＵ字状部と、左右方向に延びる第２のＵ字状部とを含む、請求項２から５のいずれか一項に記載の電気コネクタ。
【請求項７】
絶縁性のハウジングと、導電性のコンタクトとを備え、
実装対象の基板の存在する方向を下方としたとき、
前記コンタクトは、
前記ハウジングに固定される基部と、
前記基部から立ち上がり且つ接点部を有する接点側弾性部と、
前記ハウジングの下面側に存在する実装側弾性部と、
前記ハウジングの前記下面の外側にあって前記実装側弾性部の一端と前記基部とを接続する折返し部と、
前記実装側弾性部の他端からそれぞれ下方に延びて先端側が互いに異なる位置で基板への実装部となる第１及び第２の接続脚部とを有し、
前記実装側弾性部は、前後方向に延びる第１のＵ字状部と、左右方向に延びる第２のＵ字状部とを含む、電気コネクタ。
【請求項８】
１つのハウジングに対して複数の前記コンタクトが仕切り壁部を隔てて左右方向に並んで保持され、
各々の前記コンタクトの前記第２のＵ字状部は、前記第１のＵ字状部よりも短く、かつ前記ハウジングの前後方向の中心位置よりも後方に位置する、請求項６又は７に記載の電気コネクタ。
【請求項９】
前記第１及び第２の接続脚部と接して前記実装側弾性部の弾性変形量を規制する凸部が前記底面部の下面に形成されている、請求項１から８のいずれか一項に記載の電気コネクタ。
【請求項１０】
絶縁性のハウジングと、導電性のコンタクトとを備え、
実装対象の基板の存在する方向を下方としたとき、
前記コンタクトは、
前記ハウジングに固定される基部と、
前記基部から立ち上がり且つ接点部を有する接点側弾性部と、
前記ハウジングの下面側に存在する実装側弾性部と、
前記ハウジングの前記下面の外側にあって前記実装側弾性部の一端と前記基部とを接続する折返し部と、
前記実装側弾性部の他端からそれぞれ下方に延びて先端側が互いに異なる位置で基板への実装部となる第１及び第２の接続脚部とを有し、
前記第１及び第２の接続脚部と接して前記実装側弾性部の弾性変形量を規制する凸部が前記底面部の下面に形成されている、電気コネクタ。
【請求項１１】
１つのハウジングに対して複数の前記コンタクトが仕切り壁部を隔てて左右方向に並んで保持され、各々の前記コンタクトの前記第１及び第２の接続脚部の基板への実装部が前後方向に分かれている、請求項１から１０のいずれか一項に記載の電気コネクタ。
【発明の詳細な説明】
【技術分野】
【０００１】
本発明は、例えば携帯映像機器等の電池パック接続部に使用可能で、実装基板上でフローティング可能な電気コネクタに関する。
【背景技術】
【０００２】
電気コネクタは、ハウジング及びコンタクトにより構成されて基板に実装され、例えばバッテリの端子との接点部を所定位置に弾性的に支持する。この種の電気コネクタにおいては、実装基板に対してハウジング及び接点部を基板面と平行に変位可能とするフローティング機能を持たせる技術が知られている（下記特許文献１参照）。このフローティング機能によれば、最終製品の組立工程における筐体と基板との位置ずれ公差を吸収することができる。また、例えば同一の電気コネクタを異なる機種に流用する場合等に、例えば接点部の位置を同じとしながら基板上での電気コネクタの実装位置をずらさなければならないときにも、ずらす量がフローティング機能による変位可能範囲内であれば同一の電気コネクタで対応可能となる。基板上での電気コネクタの実装位置を変えずに接点部の位置をずらさなければならないときにも同様のことがいえる。
【先行技術文献】
【特許文献】
【０００３】
【特許文献１】特開２０１０−１１８３１４号公報
【発明の概要】
【発明が解決しようとする課題】
【０００４】
特許文献１の電気コネクタは、「単一の部材からなるハウジング１０と、ハウジング１０に固定されたコンタクト２０とを備え、コンタクト２０が、回路基板に接続される半田接続部２１と、半田接続部２１から上方へ延びハウジング１０側に折り返して下方へ延びる弾性部２２と、一端２３１が、弾性部２２の、下方へ延びた先端２２２に接続されると共に、水平方向に延びてハウジング１０の底面近傍に固定された固定部２３と、固定部２３の一端２３１に対向する他端２３２から上方へ延びる接点部２４とを有する」（特許文献１の［要約］）との構成を有し、弾性部２２によりフローティング機能を実現するものであるが、１つのコンタクトはハウジングの後方側の１箇所のみで基板に半田接続されており、コンタクトとは別に基板と半田接続される補強板（半田ペグ３０）が実質的に必須要件で、部品点数や組立工数が増加する。また、フローティング機能のためには補強板にも弾性を持たせることが必要であり、一般的な補強板よりも形状が複雑かつ大型で、さらに補強板の変位スペースの確保も必要であるため、電気コネクタ全体としても大型化してしまう欠点があった。
【０００５】
本発明はこうした状況を認識してなされたものであり、その目的は、コンタクトとは別に補強板を設けなくても実装基板に対してハウジング及び接点部を基板面と平行に変位可能な電気コネクタを提供することにある。
【課題を解決するための手段】
【０００６】
本発明のある態様は、電気コネクタである。この電気コネクタは、
絶縁性のハウジングと、導電性のコンタクトとを備え、
実装対象の基板の存在する方向を下方としたとき、
前記コンタクトは、
前記ハウジングに固定される基部と、
前記基部から立ち上がり且つ接点部を有する接点側弾性部と、
先端側が互いに異なる位置で基板への実装部となる第１及び第２の接続脚部と、
前記基部と前記第１及び第２の接続脚部との間に設けられた実装側弾性部とを有し、
前記ハウジングの下面に凸部が形成され、前記ハウジングの下面と対面するカバー部が前記凸部から延長し、前記ハウジングの下面と前記カバー部との隙間に前記第１の接続脚部の一部が挿入されている。
【０００７】
前記実装側弾性部は前記ハウジングの前記下面側に存在し、前記コンタクトは前記ハウジングの前記下面の外側にあって前記実装側弾性部の一端と前記基部とを接続する折返し部を有してもよい。
【０００８】
本発明のもう１つの態様は、電気コネクタである。この電気コネクタは、
絶縁性のハウジングと、導電性のコンタクトとを備え、
実装対象の基板の存在する方向を下方としたとき、
前記コンタクトは、
前記ハウジングに固定される基部と、
前記基部から立ち上がり且つ接点部を有する接点側弾性部と、
前記ハウジングの下面側に存在する実装側弾性部と、
前記ハウジングの前記下面の外側にあって前記実装側弾性部の一端と前記基部とを接続する折返し部と、
前記実装側弾性部の他端からそれぞれ下方に延びて先端側が互いに異なる位置で基板への実装部となる第１及び第２の接続脚部とを有し、
前記実装側弾性部は、前後方向及び左右方向に変位可能な構造である。
前記ハウジングの下面に凸部が形成され、前記ハウジングの下面と対面するカバー部が前記凸部から延長し、前記ハウジングの下面と前記カバー部との隙間に前記第１の接続脚部の一部が挿入されていてもよい。
【０００９】
前記実装側弾性部は、上下方向への変位を伴わずに前後方向及び左右方向に変位可能な構造であってもよい。
【００１０】
前記実装側弾性部は、前後方向に延びる第１のＵ字状部と、左右方向に延びる第２のＵ字状部とを含んでもよい。
【００１１】
本発明のもう１つの態様は、電気コネクタである。この電気コネクタは、
絶縁性のハウジングと、導電性のコンタクトとを備え、
実装対象の基板の存在する方向を下方としたとき、
前記コンタクトは、
前記ハウジングに固定される基部と、
前記基部から立ち上がり且つ接点部を有する接点側弾性部と、
前記ハウジングの下面側に存在する実装側弾性部と、
前記ハウジングの前記下面の外側にあって前記実装側弾性部の一端と前記基部とを接続する折返し部と、
前記実装側弾性部の他端からそれぞれ下方に延びて先端側が互いに異なる位置で基板への実装部となる第１及び第２の接続脚部とを有し、
前記実装側弾性部は、前後方向に延びる第１のＵ字状部と、左右方向に延びる第２のＵ字状部とを含む。
１つのハウジングに対して複数の前記コンタクトが仕切り壁部を隔てて左右方向に並んで保持され、
各々の前記コンタクトの前記第２のＵ字状部は、前記第１のＵ字状部よりも短く、かつ前記ハウジングの前後方向の中心位置よりも後方に位置してもよい。
【００１２】
前記第１及び第２の接続脚部と接して前記実装側弾性部の弾性変形量を規制する凸部が前記底面部の下面に形成されていてもよい。
本発明のもう１つの態様は、電気コネクタである。この電気コネクタは、
絶縁性のハウジングと、導電性のコンタクトとを備え、
実装対象の基板の存在する方向を下方としたとき、
前記コンタクトは、
前記ハウジングに固定される基部と、
前記基部から立ち上がり且つ接点部を有する接点側弾性部と、
前記ハウジングの下面側に存在する実装側弾性部と、
前記ハウジングの前記下面の外側にあって前記実装側弾性部の一端と前記基部とを接続する折返し部と、
前記実装側弾性部の他端からそれぞれ下方に延びて先端側が互いに異なる位置で基板への実装部となる第１及び第２の接続脚部とを有し、
前記第１及び第２の接続脚部と接して前記実装側弾性部の弾性変形量を規制する凸部が前記底面部の下面に形成されている。
１つのハウジングに対して複数の前記コンタクトが仕切り壁部を隔てて左右方向に並んで保持され、各々の前記コンタクトの前記第１及び第２の接続脚部の基板への実装部が前後方向に分かれていてもよい。
【００１４】
なお、以上の構成要素の任意の組合せ、本発明の表現を方法やシステムなどの間で変換したものもまた、本発明の態様として有効である。
【発明の効果】
【００１５】
本発明によれば、先端側が互いに異なる位置で基板への実装部となる第１及び第２の接続脚部をコンタクトが有することで、コンタクトとは別に補強板を設けなくても実装基板に対してハウジング及び接点部を基板面と平行に変位可能な電気コネクタを実現できる。
【図面の簡単な説明】
【００１６】
【図１】本発明の実施の形態１に係る電気コネクタ１を回路基板９に実装した状態の右側断面図。
【図２】電気コネクタ１の斜視図（その１）。
【図３】電気コネクタ１の斜視図（その２）。
【図４】電気コネクタ１の斜視図（その３）。
【図５】電気コネクタ１の正面図。
【図６】電気コネクタ１の底面図。
【図７】電気コネクタ１の右側断面図。
【図８】電気コネクタ１の分解斜視図（その１）。
【図９】電気コネクタ１の分解斜視図（その２）。
【図１０】ハウジング３に右方向への力が加わった場合の電気コネクタ１の底面図。
【図１１】ハウジング３に左方向への力が加わった場合の電気コネクタ１の底面図。
【図１２】ハウジング３に後方向への力が加わった場合の電気コネクタ１の底面図。
【図１３】ハウジング３に前方向への力が加わった場合の電気コネクタ１の底面図。
【図１４】本発明の実施の形態２に係る電気コネクタ１Ａの右側断面図。
【図１５】電気コネクタ１Ａの斜視図（その１）。
【図１６】電気コネクタ１Ａの斜視図（その２）。
【発明を実施するための形態】
【００１７】
以下、図面を参照しながら本発明の好適な実施の形態を詳述する。なお、各図面に示される同一または同等の構成要素、部材等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。
【００１８】
図１は、本発明の実施の形態１に係る電気コネクタ１を回路基板９に実装した状態の右側断面図である。図２〜図４は、電気コネクタ１の斜視図である。図５は、電気コネクタ１の正面図である。図６は、電気コネクタ１の底面図である。図７は、電気コネクタ１の右側断面図である。図８及び図９は、電気コネクタ１の分解斜視図である。これらの図により、直交する３方向である前後、上下、左右の各方向を定義する。
【００１９】
電気コネクタ１は、導電性のコンタクト２と、絶縁性のハウジング３とを備える。ハウジング３は例えば一体の樹脂成型品であり、コンタクト２は一体の金属部品である。図１に示すように、コンタクト２は、回路基板９上の２箇所の半田接続部９１,９２に半田付けにより表面実装される。また、接続対象物である例えばバッテリ７は、本実施の形態では前方から電気コネクタ１に接続される。これにより、バッテリ７の電極（不図示）と回路基板９の導電パターン（不図示）とが電気コネクタ１を介して電気的に接続される。
【００２０】
まず、主として図８及び図９を参照し、コンタクト２及びハウジング３の単体構造について説明する。
【００２１】
ハウジング３は、ベース部３１と、側壁部３２,３３と、仕切り壁部３４,３５と、天井部３６とを有し、それらが３つの孔部３８を形成し、各々の孔部３８にコンタクト２の一部を収容する。側壁部３２,３３は、ベース部３１の左右両端から立ち上がる。仕切り壁部３４,３５は、側壁部３２,３３の間においてベース部３１から立ち上がる。天井部３６は、側壁部３２,３３の上端同士を、仕切り壁部３４,３５の上端を経由して渡す。ベース部３１の下面には下方に突出する凸部３１１〜３１４が形成される。凸部３１１〜３１３の先端部からはベース部３１の下面と対面するカバー部３１５がそれぞれ延長する。凸部３１２〜３１４の右側面前端部は段差壁部３１７（図９）となっている。段差壁部３１７は後述のようにハウジング３の右方向への変位許容最大距離d11（図５）を規定する。
【００２２】
コンタクト２は、基部２１と、接点側弾性部２２と、実装側弾性部２３と、折返し部２４と、第１及び第２の接続脚部２５,２６とを有する。基部２１は、水平面内（上下方向位置が同じ平面内）に延在する平面形状である。コンタクト２において基部２１から上の構造は公知であるため、ここでは簡単に説明する。接点側弾性部２２は、基部２１の前端の折曲げ部２２１から後方上側に延び、後方の折曲げ部２２２で折り返されて前方上側に延び、さらに前方の折曲げ部２２３で後方に折り返された形状である。折曲げ部２２３には前方側に凸となって前方に臨む接点部２２４が例えばプレス加工にて形成されている。接続対象物の電極が前方から接点部２２４に押し付けられると、接点側弾性部２２の弾性変形により接点部２２４は後退する。
【００２３】
コンタクト２において、実装側弾性部２３は、基部２１の下方において基部２１と平行に延在する。実装側弾性部２３の一端と基部２１の後端とが折返し部２４（折曲げ部）によって接続される。第１及び第２の接続脚部２５,２６は、実装側弾性部２３の他端からそれぞれ下方に延びて、先端側が互いに異なる位置、ここでは前後方向に分かれた位置で回路基板９（図１）への実装部となる。
【００２４】
実装側弾性部２３は、前後方向に延びる第１のＵ字状部２３１と、左右方向に延びる第２のＵ字状部２３２とを含む。折返し部２４に第２のＵ字状部２３２の一端が接続され、第２のＵ字状部２３２の他端に第１のＵ字状部２３１の一端が接続され、第１のＵ字状部２３１の他端から第１及び第２の接続脚部２５,２６がそれぞれ前後方向に分かれて延びる。第１のＵ字状部２３１の前後方向の長さは、第２のＵ字状部２３２の左右方向の長さよりも長い。
【００２５】
第１の接続脚部２５は、第１のＵ字状部２３１の他端から前方に延びる脚部であり、被格納部２５１と、第１の曲げ起こし部２５２と、第１の表面実装部２５３とを有する。被格納部２５１は、第１のＵ字状部２３１の他端から延び、第１のＵ字状部２３１の側方（右方）において前方に延びる。第１の表面実装部２５３は、第１の接続脚部２５の先端部であって回路基板９（図１）に例えば半田付けにより表面実装される。第１の表面実装部２５３は、表面実装で十分な半田接合強度を確保できる面積とする。第１の曲げ起こし部２５２は、第１の表面実装部２５３の右端を曲げ起こして被格納部２５１の前端側と接続する部分である。
【００２６】
第２の接続脚部２６は、第１のＵ字状部２３１の他端から後方に延びる脚部であり、第２の曲げ起こし部２６２と、第２の表面実装部２６３とを有する。第２の表面実装部２６３は、第２の接続脚部２６の先端部であって回路基板９（図１）に例えば半田付けにより表面実装される。第２の表面実装部２６３は、表面実装で十分な半田接合強度を確保できる面積とする。第２の曲げ起こし部２６２は、第２の表面実装部２６３の前端を曲げ起こして第１のＵ字状部２３１の他端と接続する部分である。
【００２７】
続いて、主として図２〜図７を参照し、コンタクト２及びハウジング３の組合せ構造について説明する。
【００２８】
コンタクト２は、基部２１と実装側弾性部２３とでハウジング３のベース部３１を挟み、かつ基部２１と接点側弾性部２２をハウジング３の孔部３８に通すように、ハウジング３の後方からハウジング３に組み付けられる。このとき、基部２１の側縁（両縁）に形成された固定爪２１１（図８,９）が孔部３８の内壁を削るようにして孔部３８に入り込み、固定爪２１１が孔部３８の内壁に食い込むため、組み付け後には基部２１はハウジング３に対して固定状態となる。なお、１つのハウジング３に対して複数（ここでは３つ）の同形状のコンタクト２が組み付けられる。
【００２９】
コンタクト２の基部２１は、ハウジング３のベース部３１の上面に沿って存在する。コンタクト２の実装側弾性部２３は、ハウジング３のベース部３１の下面に沿って存在する。コンタクト２の折返し部２４は、ハウジング３のベース部３１の後方にあって基部２１と実装側弾性部２３とを接続する。コンタクト２の第１の接続脚部２５の被格納部２５１及び第１のＵ字状部２３１の右側の一部は、ハウジング３のベース部３１の下面とカバー部３１５との隙間（端子格納スリット）に位置する（挿入される）。
【００３０】
コンタクト２の第１の表面実装部２５３の側縁（左縁）と、その左側の対面する凸部（ハウジング３の凸部３１２〜３１４の段差壁部３１７）との間の距離d11（図５）は、第１の表面実装部２５３（すなわち実装先の回路基板）に対するハウジング３の右方向への変位許容最大距離である。すなわち、第１の表面実装部２５３に対してハウジング３が右方向へ距離d11移動すると、第１の表面実装部２５３の側縁（左縁）とハウジング３の凸部３１２〜３１４の段差壁部３１７とが接触し、右方向への距離d11以上のハウジング３の変位を規制する。
【００３１】
コンタクト２の被格納部２５１の側縁（右縁）と、その右側の対面する凸部（ハウジング３の凸部３１１〜３１３、すなわち端子格納スリットの底面３１９）との間の距離d12（図５）は、第１の表面実装部２５３（すなわち実装先の回路基板）に対するハウジング３の左方向への変位許容最大距離である。すなわち、第１の表面実装部２５３に対してハウジング３が左方向へ距離d12移動すると、被格納部２５１の側縁（右縁）とハウジング３の凸部３１１〜３１３、すなわち端子格納スリットの底面３１９とが接触し、左方向への距離d12以上のハウジング３の変位を規制する。
【００３２】
コンタクト２の第２の曲げ起こし部２６２の前面（第２の表面実装部２６３から前方斜め上方向に延びる部分の前面）とハウジング３のカバー部３１５の後端面との間の距離d21は、第２の表面実装部２６３（すなわち実装先の回路基板）に対するハウジング３の後方向への変位許容最大距離である。すなわち、第２の表面実装部２６３に対してハウジング３が後方向へ距離d21移動すると、第２の曲げ起こし部２６２の前面とカバー部３１５の後端面とが接触し、後方向への距離d21以上のハウジング３の変位を規制する。
【００３３】
実装先の回路基板に対するハウジング３の前方向への変位については、コンタクト２との接触による規制は無い。しかし、ハウジング３の前方向への変位により第２のＵ字状部２３２が最大収縮距離d22（図６）縮むと、以降は弾性部２２の弾性抵抗が増して更なるハウジング３の前方向への変位は実質的に規制される。
【００３４】
以下、電気コネクタ１におけるフローティング機能の動作を説明する。
【００３５】
図１０〜図１３は、ハウジング３に前後左右方向の力が加わった場合の電気コネクタ１の底面図であり、図１０は右方向への力が加わった場合、図１１は左方向への力が加わった場合、図１２は後方向への力が加わった場合、図１３は前方向への力が加わった場合をそれぞれ示す。これらの図において、第１及び第２の表面実装部２５３,２６３は不図示の回路基板に固定されて当該回路基板に対して動かないものとしている。
【００３６】
図１０に示すように、ハウジング３に右方向への力が加わった場合、第１のＵ字状部２３１が縮む（閉じる）ことでハウジング３は第１及び第２の表面実装部２５３,２６３（すなわち実装先の回路基板）に対して右方向に変位できる。図１１に示すように、ハウジング３に左方向への力が加わった場合、第１のＵ字状部２３１が伸びる（開く）ことでハウジング３は第１及び第２の表面実装部２５３,２６３に対して左方向に変位できる。図１２に示すように、ハウジング３に後方向への力が加わった場合、第２のＵ字状部２３２が伸びる（開く）ことでハウジング３は第１及び第２の表面実装部２５３,２６３に対して後方向に変位できる。このとき、第２のＵ字状部２３２は第１のＵ字状部２３１よりも短いため、第２のＵ字状部２３２の伸縮だけでは、ハウジング３の前後方向への変位は左右方向への変位と比較して抵抗が強い（変位しにくい）。しかし、第２のＵ字状部２３２が開くことに加えて第２のＵ字状部２３２よりも長い第１のＵ字状部２３１が首振り（左方向に傾動）することによってもハウジング３を後方向に変位させることができ、後方向への変位時の抵抗が減じられる。図１３に示すように、ハウジング３に前方向への力が加わった場合、第２のＵ字状部２３２が縮む（閉じる）ことでハウジング３は第１及び第２の表面実装部２５３,２６３に対して前方向に変位できる。このとき、第２のＵ字状部２３２が閉じることに加えて第２のＵ字状部２３２よりも長い第１のＵ字状部２３１が首振り（右方向に傾動）することによってもハウジング３を前方向に変位させることができ、前方向への変位時の抵抗が減じられる。また、２方向への変位を組み合わせることで、斜め方向と回転方向での変位も可能である。
【００３７】
本実施の形態によれば、下記の効果を奏することができる。
【００３８】
(1) 実装側弾性部２３の他端からそれぞれ下方に延びて先端側が前後方向に分かれた位置で回路基板への実装部となる第１及び第２の接続脚部２５,２６をコンタクト２が有するため、従来のようにコンタクトがハウジングの後方側の１箇所のみで基板に半田接続される場合と異なり、コンタクト２の他に別途補強板を設ける必要がない。このため、補強板を設けることによる部品点数や組立工数の増加が無い。また、補強板を用いながらフローティング機能を確保するためには、補強板にも弾性を持たせることが必要で一般的な補強板よりも形状が複雑かつ大型となり、さらに補強板の変位スペースの確保も必要であるが、本実施の形態では補強板が不要なため、従来のように補強板を用いる場合と比較して電気コネクタ全体として小型かつ低コストとなる。
【００３９】
(2) コンタクト２の第１の接続脚部２５の被格納部２５１が常にハウジング３のベース部３１の下面とカバー部３１５との隙間（端子格納スリット）に収納されるため、ハウジング３に基板から剥離する方向の力が働いた際、カバー部３１５がコンタクト２の第１接続脚部２５の被格納部２５１に引っ掛かってハウジング３がコンタクト２から分離して基板から剥離されることを別部品によらず防止可能である。なお、この剥離防止の役割を従来は補強板が担っていたが、本実施の形態では補強板を用いなくてもハウジング３の剥離を防止できる。
【００４０】
(3) コンタクト２及びハウジング３が自身で前後左右各方向への過剰変位防止機能を有しており、過剰変位によるコンタクト２（特に実装側弾性部２３）の過剰変形や破断を別部品によらず防止できる。なお、この過剰変位防止の役割を従来は補強板が担っていたが、本実施の形態では補強板を用いなくても過剰変位を防止できる。
【００４１】
(4) コンタクト２の実装側弾性部２３をハウジング３のベース部３１の下面側に設けているため、前後方向に延びる第１のＵ字状部２３１と左右方向に延びる第２のＵ字状部２３２とが実装側弾性部２３を構成できる。ここで、第１及び第２のＵ字状部２３１,２３２はねじれを伴わずに弾性変形可能であり、従来のように弾性部のねじれ変形で左右方向に変位する構成と異なり、上下方向への変位を伴わずに前後左右方向に変位させることが容易に可能である。また、左右方向に延びる第２のＵ字状部２３２を前後方向に延びる第１のＵ字状部２３１よりも短くすることで左右方向に並ぶコンタクト２の配列間隔を小さくしつつ、第２のＵ字状部２３２の弾性変形だけでは長さが短いために抵抗の大きい前後方向への変位を長さのある第１のＵ字状部２３１の首振りで補うことができ、前後方向への変位時の抵抗を減じることができる。
【００４２】
図１４は、本発明の実施の形態２に係る電気コネクタ１Ａの右側断面図である。図１５及び図１６は、電気コネクタ１Ａの斜視図である。この電気コネクタ１Ａは、実施の形態１のものと比較して、コンタクト２の接点部２２６が上方に臨む点で相違し、その他の点は同様である。具体的には、接点側弾性部２２は、基部２１の前端の折曲げ部２２１から後方上側に延び、後方の折曲げ部２２５で下方に折り返された形状である。折曲げ部２２５には上方側に凸となって上方に臨む接点部２２６が例えばプレス加工にて形成されている。接続対象物の電極が上方から接点部２２６に押し付けられると、接点側弾性部２２の弾性変形により接点部２２６は後退する。ハウジング３は、接点部２２６を突出させる溝部３９を天井部３６に有する。本実施の形態も、実施の形態１と同様の作用効果を奏することができる。
【００４３】
以上、実施の形態を例に本発明を説明したが、実施の形態の各構成要素や各処理プロセスには請求項に記載の範囲で種々の変形が可能であることは当業者に理解されるところである。以下、変形例について触れる。
【００４４】
電気コネクタの実装方式は表面実装に限らず、スルーホール実装としてもよい。
【００４５】
１つのハウジング３に対するコンタクト２の装着数は３つに限らず、要求される仕様等に応じて適宜設定すればよい。
【符号の説明】
【００４６】
１  電気コネクタ
２  コンタクト
２１  基部
２２  接点側弾性部
２２４  接点部
２３  実装側弾性部
２４  折返し部
２５  第１の接続脚部
２５１  被格納部
２５２  第１の曲げ起こし部
２５３  第１の表面実装部
２６  第２の接続脚部
２６２  第２の曲げ起こし部
２６３  第２の表面実装部
３  ハウジング
３１  底面部
３２,３３  側壁部
３４,３５  仕切り壁部
３６  天井部
３８  孔部
【図１】
0005896786.tif 000002
【図２】
0005896786.tif 000003
【図３】
0005896786.tif 000004
【図４】
0005896786.tif 000005
【図５】
0005896786.tif 000006
【図６】
0005896786.tif 000007
【図７】
0005896786.tif 000008
【図８】
0005896786.tif 000009
【図９】
0005896786.tif 000010
【図１０】
0005896786.tif 000011
【図１１】
0005896786.tif 000012
【図１２】
0005896786.tif 000013
【図１３】
0005896786.tif 000014
【図１４】
0005896786.tif 000015
【図１５】
0005896786.tif 000016
【図１６】
0005896786.tif 000017